(57)【要約】【課題】従来構造よりもコストを削減し且つ車体の軽量化及び生産性の向上を図り得るショックアブソーバの取付構造を提供する。【解決手段】ショックアブソーバ８の上端部を枢支するためのブラケット１１の上下部分に、サイドレール１の上下のフランジ１ａの内側面に沿う張出部１１ａを一体形成し、該各張出部１１ａを介し前記ブラケット１１をサイドレール１の溝形の開口部を塞ぐように装着して閉断面の配索空間１０を確保する。このようにすれば、単一部品のブラケット１１を介在させるだけで従来と変わらない配索空間１０を確保しつつサイドレール１にショックアブソーバ８の上端部を取り付けることができる。【選択図】図１
2006193092.tif 000002
【特許請求の範囲】
【請求項１】
ショックアブソーバの上端部を枢支するためのブラケットの上下部分に、サイドレールの上下のフランジの内側面に沿う張出部を一体形成し、該各張出部を介し前記ブラケットをサイドレールの溝形の開口部を塞ぐように装着して閉断面の配索空間を確保したことを特徴とするショックアブソーバの取付構造。
【請求項２】
各張出部をサイドレールのウェブの内側面に沿う位置まで延在せしめ、該ウェブの内側面に対し前記各張出部を締結してブラケットを固定したことを特徴とする請求項１に記載のショックアブソーバの取付構造。
【発明の詳細な説明】
【技術分野】
【０００１】
本発明は、ショックアブソーバの取付構造に関するものである。
【背景技術】
【０００２】
一般的に、車両のサスペンションにおいては、可動部分であるサスペンションのばね下と車体との間をショックアブソーバ（ダンパー）により連結し、このショックアブソーバにより上下方向の振動の揺り返しを抑制して振動減衰を図るようにしてある。
【０００３】
この種のショックアブソーバは、車体の前後方向に延びてフレームの一部を成すサイドレールの外側にブラケットを介して上端部を取り付けられるようになっているのが通常であるが、中型や小型のエアサスペンション車両等では、タイヤやフレームの配置関係からサイドレールの内側にショックアブソーバを配置しなければならないことがある。
【０００４】
このような場合には、図５及び図６に示すように、サイドレール１の内側に溝形の開口部を塞ぐようにコの字形断面のベースプレート２を装着してボルト３及びナット４により締結し、このベースプレート２にブラケット５をボルト６及びナット７を介して取り付け、このブラケット５によりショックアブソーバ８の上端部をピン９を介して枢支するようにしている。
【０００５】
即ち、図７に示す如く、サイドレール１の溝形には、図７中にＡで示す如きハーネスや配管を配索する必要があるため、これらの配索空間１０をベースプレート２により確保し、ブラケット５をサイドレール１の溝形内に直接配置しない構造を採用している。
【０００６】
尚、図５及び図７における１ａはサイドレール１の上下に形成されて車幅方向内側へ延在するフランジ、１ｂはサイドレール１の上下のフランジ１ａ，１ａ間を縦方向に連結するウェブを示す。
【０００７】
また、この種のショックアブソーバの取付構造に関連する先行技術文献情報としては下記の特許文献１等がある。
【特許文献１】特開平９−４８２２３号公報
【発明の開示】
【発明が解決しようとする課題】
【０００８】
しかしながら、前述した図５〜図７の如き従来構造においては、サイドレール１に対しベースプレート２とブラケット５の二部品を介在させてショックアブソーバ８の上端部を取り付けるようにしていたため、部品点数や組み付け工数が多くなってコストが高くつき、車体の軽量化や生産性の向上を図る観点からも好ましくなかった。
【０００９】
また、サイドレール１の溝形にベースプレート２を装着するにあたり、該ベースプレート２の上下の水平に延びる部分をサイドレール１の上下のフランジ１ａの内側面に重ね、その重なり部分をボルト及びナットで締結するようにしていたため、サイドレール１の上面にボルト３の頭部が突出してサイドレール１の上面への各種部材の架装性が悪くなる上、上下のフランジ１ａにボルト孔があくことでサイドレール１の強度が低下するという不具合もあった。
【００１０】
本発明は上述の実情に鑑みてなしたもので、従来構造よりもコストを削減し且つ車体の軽量化及び生産性の向上を図り得るショックアブソーバの取付構造を提供することを目的としており、更には、ショックアブソーバの上端部の取り付けによるサイドレールへの架装性の悪化やサイドレールの強度低下を回避し得るショックアブソーバの取付構造を提供することを目的としている。
【課題を解決するための手段】
【００１１】
本発明は、ショックアブソーバの上端部を枢支するためのブラケットの上下部分に、サイドレールの上下のフランジの内側面に沿う張出部を一体形成し、該各張出部を介し前記ブラケットをサイドレールの溝形の開口部を塞ぐように装着して閉断面の配索空間を確保したことを特徴とするショックアブソーバの取付構造、に係るものである。
【００１２】
而して、このようにすれば、従来におけるベースプレートが不要となり、単一部品のブラケットを介在させるだけでサイドレールにショックアブソーバの上端部を取り付けることが可能となるので、部品点数や組み付け工数が従来よりも大幅に少なくなる。
【００１３】
また、本発明は、各張出部をサイドレールのウェブの内側面に沿う位置まで延在せしめ、該ウェブの内側面に対し前記各張出部を締結してブラケットを固定したことを特徴とするものでもある。
【００１４】
このようにすれば、サイドレールのウェブの内側面にブラケットの各張出部が締結されて固定されることになるので、サイドレールの上面にボルトの頭部が突出しなくなって該サイドレールの上面が平坦なまま確保され、しかも、上下のフランジにボルト孔をあけなくて済むことになる。
【発明の効果】
【００１５】
上記した本発明のショックアブソーバの取付構造によれば、下記の如き種々の優れた効果を奏し得る。
【００１６】
（Ｉ）本発明の請求項１に記載の発明によれば、単一部品のブラケットを介在させるだけで従来と変わらない配索空間を確保しつつサイドレールにショックアブソーバの上端部を取り付けることができるので、部品点数や組み付け工数を従来よりも少なくしてコストを削減し且つ車体の軽量化及び生産性の向上を図ることができる。
【００１７】
（ＩＩ）本発明の請求項２に記載の発明によれば、サイドレールの上面を平坦なまま確保することができて各種部材の架装性を大幅に向上することができ、しかも、サイドレールの上下のフランジにボルト孔をあけなくて済むことによりサイドレールの強度を高めることができる。
【発明を実施するための最良の形態】
【００１８】
以下本発明の実施の形態を図面を参照しつつ説明する。
【００１９】
図１〜図４は本発明を実施する形態の一例を示すもので、図５〜図７と同一の符号を付した部分は同一物を表わしている。
【００２０】
図１〜図４に示す如く、本形態例においては、ショックアブソーバ８の上端部を枢支するためのブラケット１１の上下部分に、サイドレール１の上下のフランジ１ａの内側面に沿う張出部１１ａを一体形成し、該各張出部１１ａを介し前記ブラケット１１をサイドレール１の溝形の開口部を塞ぐように装着して閉断面の配索空間１０を確保するようにしている。
【００２１】
より具体的には、ショックアブソーバ８の上端部をピン９を介して枢支し得るよう二股状に折り曲げ形成されたブラケット１１の上下部分に、サイドレール１の上下のフランジ１ａの内側面に沿いウェブ１ｂの内側面に突き当たる位置まで延在し且つその位置でウェブ１ｂの内側面に沿うように屈曲する張出部１１ａを夫々形成し、これら各張出部１１ａのウェブ１ｂに沿う先端部分をボルト１２及びナット１３により締結してブラケット１１を固定してある。
【００２２】
而して、このようにショックアブソーバ８の取付構造を構成すれば、従来におけるベースプレートが不要となり、単一部品のブラケット１１を介在させるだけでサイドレール１にショックアブソーバ８の上端部を取り付けることが可能となるので、部品点数や組み付け工数が従来よりも少なくなる。
【００２３】
しかも、本形態例においては、サイドレール１のウェブ１ｂの内側面にブラケット１１の各張出部１１ａが締結されてブラケット１１が固定されるようになっているので、サイドレール１の上面にボルトの頭部が突出しなくなって該サイドレール１の上面が平坦なまま確保され、上下のフランジ１ａにもボルト孔をあけなくて済むことになる。
【００２４】
従って、上記形態例によれば、単一部品のブラケット１１を介在させるだけで従来と変わらない配索空間１０を確保しつつサイドレール１にショックアブソーバ８の上端部を取り付けることができるので、部品点数や組み付け工数を従来よりも少なくしてコストを削減し且つ車体の軽量化及び生産性の向上を図ることができる。
【００２５】
また、サイドレール１の上面を平坦なまま確保することができて各種部材の架装性を大幅に向上することができ、しかも、サイドレール１の上下のフランジ１ａにボルト孔をあけなくて済むことでサイドレール１の強度を高めることもできる。
【００２６】
尚、本発明のショックアブソーバの取付構造は、上述の形態例にのみ限定されるものではなく、ブラケットの形状は図示例に限定されないこと、その他、本発明の要旨を逸脱しない範囲内において種々変更を加え得ることは勿論である。
【図面の簡単な説明】
【００２７】
【図１】本発明を実施する形態の一例を示す側面図である。
【図２】図１のブラケットを斜め上方から見た斜視図である。
【図３】図１のＩＩＩ−ＩＩＩ方向の矢視図である。
【図４】図１のＩＶ−ＩＶ方向の矢視図である。
【図５】従来構造の一例を示す側面図である。
【図６】図５の従来構造の分解図である。
【図７】図５の従来構造を斜め下方から見た斜視図である。
【符号の説明】
【００２８】
１  サイドレール
１ａ  フランジ
１ｂ  ウェブ
８  ショックアブソーバ
１０  配索空間
１１  ブラケット
１１ａ  張出部
１２  ボルト
１３  ナット
【図１】
2006193092.tif 000003
【図２】
2006193092.tif 000004
【図３】
2006193092.tif 000005
【図４】
2006193092.tif 000006
【図５】
2006193092.tif 000007
【図６】
2006193092.tif 000008
【図７】
2006193092.tif 000009